(57)【要約】【課題】テンキー７と若干のファンクションキーとが配列されたキーボード２を用いて、数字、英字、記号等の文字種別が異なる文字列を簡単に入力可能とする。【解決手段】各数字キー８に対して割付られた１個以上の数字以外の文字を文字割付テーブル３８に予め記憶しておく。そして、最初の数字キー８のキー操作に応じて該当数字キーに対応する数字を表示部５に表示出力する。次に、先のキー操作に続いて同一数字キーが繰り返し操作された場合は、先に表示部５に表示出力した数字を文字割付テーブル３８に記憶されている該当数字キーに割付けられている数字以外の各文字に順次変更していく。【選択図】      図２
2008299517.tif 000002
【特許請求の範囲】
【請求項１】
複数の数字キー及び複数のファンクションキーが配列されたキーボードと表示部と無線通信部とを有し、前記キーボードに対するキー入力操作で入力された各種情報を、一旦前記表示部に表示出力した後、前記無線通信部で外部に送出する携帯端末において、
前記各数字キーに対して割り付けられた１個以上の数字以外の文字を記憶する割付記憶手段と、
前記数字キーのキー操作に応じて該当数字キーに対応する数字を前記表示部に表示出力するとともに、前記キー操作に続いて同一数字キーが繰り返し操作された場合は、前記先に表示出力した数字を前記割付記憶手段に記憶されている該当数字キーに割付けられている数字以外の各文字に順次変更する文字列入力手段と
を備えたことを特徴とする携帯端末。
【請求項２】
前記キーボード上における設定のキー操作に応じて、前記割付記憶手段に記憶されている各数字キーに対する数字以外の文字の新規設定、削除、変更を行う割付状態設定・変更手段を備えたことを特徴とする請求項１記載の携帯端末。
【請求項３】
前記キーボード上における案内表示のキー操作に応じて、前記割付記憶手段に記憶されている各数字キーに対する数字以外の文字を、前記表示部の表示画面の一部に案内表示する設定内容表示手段を備えたことを特徴とする請求項１又は２記載の携帯端末。
【請求項４】
前記キーボード上における案内表示のキー操作に応じて、前記割付記憶手段に記憶されている各数字キーに対する数字以外の文字を、当該数字キーに対する数字キーとともに前記表示部の表示画面の一部に案内表示する設定内容表示手段を備えたことを特徴とする請求項１又は２記載の携帯端末。
【発明の詳細な説明】
【技術分野】
【０００１】
本発明は、携帯電話等のキーボード上に０〜９までの１０個の数字キーの他には、オフフックキー、オンフックキー等の少数のファンションキーのみしか設けられていない携帯端末に係わり、特に、キーボードから数字以外の文字をも簡単に入力可能にした携帯端末に関する。
【背景技術】
【０００２】
近年、市販されている携帯電話には多数の機能が組込まれている。基本的なものとして、通常の音声による電話機能、電子メールを送受信するメール機能、インターネットを介して各種のサイトをアクセスするインターネット機能、静止画及び動画を撮影するカメラ機能等がある。
【０００３】
このなかで、キーボードから数字のみを入力するのみでよいのは、通話先の電話番号を入力する電話機能のみである。インターネット機能においては、ＵＲＬ（Uniform Resource Locator）を入力するために半角の英数字が必要である。さらに、メール機能においては、半角の英数字のメールアドレスを入力することの他に、送信すべき、文書（メール）を作成するために、英数かな漢字が必要である。
【０００４】
このようなキーボードに配列された数字キーで直接入力可能な数字以外の各文字は、０〜９までの１０個の数字キーとファンクションキーとの組合せキー操作で入力される。
【０００５】
この場合、操作者は、入力モードを「数字」、「英字」、「かな漢字」等の入力すべき文字種別のモードにわざわざ切換設定した後に、各数字キーとファンクションキーとの組合せキー操作で目的とする各種の文字を入力する。例えば、現在市販されている携帯電話等の携帯端末において［Ｃ２ＮＧ２３Ｋ］の文字列をキーボードで入力する場合は、入力モードを「英字」モードに設定した後、「Ｃ」文字が記憶部のテーブルに予め割付けられている「２」の数字キーを３回連続キー操作することによって「Ｃ」を表示画面上に表示させる。次に、入力モードを基本の「数字」モードに切換えた後、［２］の数字キーを１回押す。すると表示画面上に「２」が表示される。次に、入力モードを再度「英字」モードに設定して、「Ｎ」の英字が割付けられている「６」の数字キーを２回連続キー操作することによって「Ｎ」を表示画面上に表示させる。
【０００６】
このように、入力モードの切換と、組合せキー操作とによって、０〜９までの１０個の数字キーからなるテンキーと少数のファンクションキーしか配設されていないキーボードを用いて携帯電話で使用可能な全ての文字を入力可能である。
【０００７】
しかしながら、テンキーと全ての英字キーと多くのファンクションキーを備えたフルキーボードに比較すると、文字入力操作の煩雑性は拭いきれない。
【０００８】
なお、特許文献１には、携帯電話等の携帯通信端末において電子メールの文書をキー入力する際に、入力した文書の一部を修飾する場合における修飾範囲の設定、変更等を含む文字入力操作の効率化を図る技術が開示されている。
【特許文献１】特開２００６−７２８７５号公報
【発明の開示】
【発明が解決しようとする課題】
【０００９】
さらに、近年、携帯端末に対して、上述した電話機能、メール機能、インターネット機能、カメラ機能等の基本機能の他に、この携帯端末のユーザが携帯端末にインストールし、この携帯端末のメーカや販売業者にて当初から組込まれている多数の機能（付加機能、アプリケーション機能）がある。これらの付加機能は、キーボード上に配設された「アプリケーションキーのキー操作で選択して実行させることが可能である。
【００１０】
このような付加機能の一つとして、例えば、工場等の監視室等に設けられた監視装置に表示されたプラントの現在の状態を示す、例えば「１６進数」で表記されたデータを入力し、このキー入力されたデータを別途設置された解析装置へ送信するデータ入力業務がある。
【００１１】
このデータ入力業務においては、監視員は、監視装置の表示画面に表示される「１６進数」のデータ（文字列）を読取って、キーボードを用いてキー入力する必要がある。しかしながら、「１６進数」で表記されたデータは、０〜９の１０個の数字とＡ〜Ｆの６つの英字で示されるので、各データは数字と英字とが混合した文字列になる可能性が非常に高い。監視装置にオンライン表示される各データは短時間で更新されるので、操作員は、このデータを短時間で読取って、短時間で携帯端末に入力する必要がある。
【００１２】
しかしながら、前述したように、異なる種別の文字が組込まれた文字列をキーボードを用いてキー入力するには、入力モードの切替えが頻繁に発生し、入力効率が著しく低下する欠点があった。
【００１３】
本発明はこのような事情に鑑みてなされたものであり、テンキーを構成する各数字キーに対して、アプリケーションで指定された業務に必要な、数字以外の文字を割付けることにより、文字モードを切換えることなく、異なる種別の文字が組込まれた文字列を簡単に入力でき、文字入力精度及び文字入力効率を大幅に向上できる携帯端末を提供することを目的とする。
【課題を解決するための手段】
【００１４】
上記課題を解決するために本発明は、複数の数字キー及び複数のファンクションキーが配列されたキーボードと表示部と無線通信部とを有し、キーボードに対するキー入力操作で入力された各種情報を、一旦表示部に表示出力した後、無線通信部で外部に送出する携帯端末において、各数字キーに対して割付られた１個以上の数字以外の文字を記憶する割付記憶手段と、数字キーのキー操作に応じて該当数字キーに対応する数字を表示部に表示出力するとともに、先のキー操作に続いて同一数字キーが繰り返し操作された場合は、先に表示出力した数字を割付記憶手段に記憶されている該当数字キーに割付けられている数字以外の各文字に順次変更していく文字列入力手段とを備えている。
【００１５】
このように構成された携帯端末においては、操作者が新規に一つの数字キーを押すと、この数字キーの数字が表示され、続いて同一数字キーを繰り返し押すと、表示された数字が、この数字キーに割付けられている数字以外の各文字に順次変更されていく。したがって、この期間は、文字入力の入力モードを切換える必要がないので、数字と数字以外の文字とが組込まれた文字列を簡単に入力できる。
【００１６】
また、別の発明は、上記発明の携帯端末において、キーボード上における設定のキー操作に応じて、割付記憶手段に記憶されている各数字キーに対する数字以外の文字の新規設定、削除、変更を行う割付状態設定・変更手段を備えている。
【００１７】
このように構成された携帯端末においては、この携帯端末を用いて行う業務内容に応じて、各数字キーに割付ける数字以外の文字を、設定、変更、削除できるので、各アプリケーション業務の作業効率を向上できる。
【００１８】
また、別の発明は、上記発明の携帯端末において、キーボード上における案内表示のキー操作に応じて、割付記憶手段に記憶されている各数字キーに対する数字以外の文字を、表示部の表示画面の一部に案内表示する設定内容表示手段を備えている。
【００１９】
このように構成された携帯端末においては、必要に応じて、現在時点で各数字キーに割付ている数字以外の各文字を表示画面の一部に案内表示されるので、たとえこの携帯端末の操作に不慣れな操作者にとっても簡単に操作できる。
【００２０】
さらに、別の発明は、上記発明の携帯端末において、キーボード上における案内表示のキー操作に応じて、割付記憶手段に記憶されている各数字キーに対する数字以外の文字を、当該数字キーに対する数字キーとともに表示部の表示画面の一部に案内表示する設定内容表示手段を備えている。
【００２１】
このように構成された携帯端末においては、必要に応じて、現在時点で各数字キーに割付ている数字以外の各文字を、当該数字キーともに、表示画面の一部に案内表示されるので、たとえこの携帯端末の操作に不慣れな操作者にとってもより一層、簡単に操作できる。
【発明の効果】
【００２２】
本発明の携帯端末においては、一つの数字キーの繰り返し操作に応じて当該数字、及び当該数字以外の各文字を順番に表示させているので、数字と数字以外の文字とが組込まれた文字列を簡単に入力でき、入力作業能率を向上できる。
【発明を実施するための最良の形態】
【００２３】
以下、本発明の一実施形態を図面を用いて説明する。
【００２４】
図１（ａ）は本発明の一実施形態に係わる例えば携帯電話等で構成された携帯端末を示す外観図であり、図１（ｂ）は同携帯端末の表示部の表示画面を示す図である。
【００２５】
この携帯電話等で構成された携帯端末１は、上面にキーボード２が設けられた本体ケース３にヒンジ４を介して、表示器５が設けられた蓋体６が取付けられている。キーボード２には、０〜９までの１０個の数字キー８からなるテンキー７、「＊」キー９、「＃」キー１０の他に、オフフックキー１１、オンフックキー１２、電子メールキー１３、アプリケーションキー１４、４方向の方向キー１５、決定キー１６、アドレス帳キー１７等が設けられている。
【００２６】
図１（ｂ）は、アプリケーションキー１４にて、アプリケーション動作モードが設定され、さらに、「データ入力業務」が選択された状態における表示部５の表示画面５ａである。表示画面５ａの上部にキーボード７から順次入力された「１６進数」で表記されたデータが表示されるデータ入力領域１７が形成され、表示画面５ａの下部に各数字キー８に対する数字の他に当該数字以外の各文字の割付状態を示す割付案内１８が表示されている。さらに、メニューボタン１９、入力ボタン２０、戻りボタン２１が表示されている。なお、図１（ｂ）の割付案内１８には各数字キー８に対応する数字が割り付けられていない場合には、当該数字キーに割り付けられている記号や英数字などが表示されても構わないものとする。
【００２７】
図２は、携帯端末１の概略構成を示すブロック図である。ＣＰＵ（Ｃｅｎｔｒａｌ  Ｐｒｏｃｅｓｓｉｎｇ  Ｕｎｉｔ）からなる主制御装置２２に対して、基地局と無線通信を行う無線通信部２３、キーボード７からキー信号が入力されるキー入力制御部２４、表示部５に各種情報を表示出力する表示制御部２５、音声通話のためのマイク２７とスピーカ２８を制御する音声入出力部２６が接続されている。さらに、この主制御装置２２には、各種の情報を記憶する記憶装置２９が接続されている。
【００２８】
図３は、コンピュータからなる主制御装置２２が有する各機能を示すブロック図である。この携帯端末１は、通常の携帯電話が有する前述した電話機能、メール機能、インターネット機能を実行する基本モード実行部３０、アプリケーション機能の一であるデータ入力業務３１を実行するアプリケーションモード実行部３２、基本モードかアプリケーションモードかを、キーボード７のアプリケーションキー１４のキー操作に応じて選択するモード選択部３３が組込まれている。
【００２９】
通常の携帯電話が有する電話機能、メール機能、インターネット機能を実行する場合に、キーボード７における数字、かな漢字を入力する場合に、組合せキー操作を通常の文字に変換する通常入力モード処理部３４が設けられている。
【００３０】
一方、アプリケーションモード実行部３２の文字列入力モード処理部３５は、キーボード７から数字キー８の繰り返しキー操作を数字と数字以外の文字の文字列に変換する。割付設定部３６は、記憶装置２９の図４に示す文字割付テーブル３８内に、各数字キー８に対して当該数字キー８に対応する数字及び当該数字以外の各文字を割付設定する。また、割付案内表示部３７は、図４に示す文字割付テーブル３８に設定された割付状態を図１（ｂ）に示すように、表示部５の表示画面５ａの下部に割付案内１８として表示する。
【００３１】
図２の記憶装置２９内には、メールアドレスメモリ３９、送信メールメモリ４０、受信メールメモリ４１等の基本モードメモリ４２の他に、データ入力業務３１を実行するための文字割付設定画面メモリ４３、前述した文字割付テーブル３８、及びメニュー画面メモリ４４が形成されている。
【００３２】
文字割付テーブル３８内には、図４に示すように、１、２、３、４、５、６の各数字キー８に対して、「１６進数」で表記されたデータを入力するために必要なＡ、Ｂ、Ｃ、Ｄ、Ｅ、Ｆの各英字が割付けられている。この実施形態においては、「１６進数」表記用のＡ、Ｂ、Ｃ、Ｄ、Ｅ、Ｆの６つの英字以外にも、７、８の各数字キー８に使用頻度が高いＲ、Ｗの各英字が設定されているものとするが、特にこれらＲ、Ｗに限定されない。さらに、１、２、３、４、５の各数字キー８には、「＝」、「＋」、「―」、「＊」、「／」の各記号が前述した各英字の後ろ側に、二重に設定されているものとする。
【００３３】
また、「＊」キー９には前述した［Ｇｕｉｄｅ］（ガイド機能）指令（文字列）が割付けられ、０の数字キー８には［ＳＰ］（スペース機能）指令（空白文字）が割付けられ、「＃」キー１０には、［ＢＲＫ］（通信一時中断機能）指令（コマンド）が割付けられている。
【００３４】
メニュー画面メモリ４４には、図５（ａ）に示すように、アプリケーションモード実行部３２のデータ入力業務３１が選択指定された時点における、表示部５に表示するメニュー画面４４ａを記憶する。選択する項目として、文字割付テーブル３８に文字を設定する割付設定４５ａ、文字入力モードを通常入力モードに切換える通常入力４５ｂ、入力した「１６進数」表記のデータの送信先のデータ解析装置に対する回線の接続４５ｃ、遮断４５ｄ、及びこのメニュー画面の終了４５ｅ等を、操作者が、表示画面５ａ上で、カーソル移動、決定キー１６を用いて選択する。
【００３５】
文字割付設定画面メモリ４３内には、図５（ｂ）、（ｃ）に示すように、文字割付テーブル３８に各文字を設定するときに表示部５の表示画面５ａに表示する文字割付設定画面４３ａ（数字キー選択画面）を記憶する。
【００３６】
このように構成された携帯端末１の全体動作を図６、図７の流れ図を用いて説明する。携帯端末１の電源が投入されると（ステップＳ１）、モード選択部３３が無条件で動作モードを通常動作モードに設定して（ステップＳ２）、電話、メール、インターネット等の通常の操作が実施されると（ステップＳ３）、基本モード実行部３０が通常の処理を実施する（ステップＳ４）。
【００３７】
キーボード２のアプリケーションキー１４が押されると（ステップＳ５）、モード選択部３３が動作モードをアプリケーションモードに設定して（ステップＳ６）、アプリケーションモード実行部３２に設定されている各アプリケーション業務の選択画面を表示部５に表示する（ステップＳ７）。カーソル移動と決定キー１６でデータ入力業務３１のアプリケーション業務におけるデータ入力業務３１が選択されると（ステップＳ８）、選択されたデータ入力業務３１を起動し、図１（ｂ）に示すように、表示画面５ａにデータ入力領域１７と割付案内１８とからなる実行画面（予め文字割付テーブル３８にて定められている）を表示出力する（ステップＳ９）。そして、外部の解析装置などへの実行指示が出されると（ステップＳ１０）、文字列入力モード処理部３５が、図７に示すデータ入力処理を実行する（ステップＳ１１）。
【００３８】
図７において、一つの数字キー８が入力されると（ステップＱ１）、一つ前に同一の数字キー８が入力されていない場合は（ステップＱ２）、同一数字キー８の繰り返し回数Ｎを１に設定し（ステップＱ３）、入力された数字キー８の数字を表示画面５ａのデータ入力領域１７に表示出力する（ステップＱ４）。
【００３９】
一つ前に同一の数字キー８が入力されていた場合は（ステップＱ２）、繰り返し回数Ｎが０にクリアされていると、ステップＱ３へ進み、繰り返し回数Ｎを１に設定し、入力された数字キー８の数字を表示画面５ａのデータ入力領域１７に表示出力する（ステップＱ４）。
【００４０】
繰り返し回数Ｎが１に設定されていれば（ステップＱ６）、繰り返し回数Ｎを２に更新して、先にデータ入力領域１７に表示した数字を、文字割付テーブル３８の該当数字キー８に割付けられている２番目の、数字以外の文字（英字）に変更する（ステップＱ８）。
【００４１】
さらに、すでに繰り返し回数Ｎが２に設定されていれば（ステップＱ９）、先にデータ入力領域１７にて変更した数字以外の文字（英字）を、文字割付テーブル３８の該当数字キー８に割付けられている３番目の、数字以外の記号に変更する（ステップＱ１０）。そして、繰り返し回数Ｎを０にクリアする（ステップＱ１１）。さらに、矢印キー１５が入力されると（ステップＱ１２）、繰り返し回数Ｎを０にクリアする（ステップＱ１３）。
【００４２】
そして、入力ボタン２０をカーソル移動、決定キー１６で押すと、データ入力領域１７に表示された、「１６進数」で表記されたデータを外部の解析装置へ送信する（ステップＱ１５）。そして、図６のステップＳ１０へ戻る。
【００４３】
ここで、図７に示す、文字列入力モード処理部３５が行う処理を、図８に示す具体例を用いて説明する。例えば、「１６進数」表記された「１ＤＤ０」の文字列を入力する場合は、最初に「１」の数字キー８が押されると当該最初に入力された「１」に関する繰り返し回数Ｎは「Ｎ＝０」から「Ｎ＝１」となり、この数字キー８の数字である［１］が表示画面５ａのデータ入力領域１７に表示される。続いて、「４」の数字キー８が押されると「４」の数字キー８と「１」の数字キー８とは同一の数字キー８ではないため（ステップＱ２のＮ）、「１」の次に入力される文字に関する繰り返し回数Ｎを「Ｎ＝０」から「Ｎ＝１」にセットし（ステップＱ３）、新規の「４」の数字が追加表示されて［１４］となる（ステップＱ４）。続いて、「４」の数字キー８が繰り返し押されると（図７の流れ図の最初に戻って）、先の「４」の数字が文字割付テーブル３８に示す割り付けの関係によって「Ｄ」の英字に変更され、表示画面５ａのデータ入力領域１７には［１Ｄ］と表示される（ステップＱ８）。なお、このとき繰り返し回数Ｎは「Ｎ＝１」から「Ｎ＝２」になっている（ステップＱ７）。次に矢印キー１５を入力すると、表示されている［１Ｄ］が確定する。
【００４４】
さらに、続いて「４」の数字キー８が押されると同様に新規の４が追加表示されて［１Ｄ４］となる。続いて、「４」の数字キー８が繰り返し押されると、同様に先の「４」の数字が「Ｄ」の英字に変更され、［１ＤＤ］となる。最後に「０」の数字キー８が押されると新規の「０」の数字が追加表示されて［１ＤＤ０］となる。
【００４５】
このように、一つの数字キー８の繰り返し操作に応じて数字、数字以外の各文字を順番に表示させているので、数字と数字以外の文字とが組込まれ例えば「１６進数」表記されたデータの文字列を簡単に入力でき、入力作業能率を向上できる。
【００４６】
図６のステップＳ１０にて、外部の解析装置などへの実行指示でなくて、メニューボタン１９が押されると、図５（ａ）のメニュー画面４４ａを表示する（ステップＳ１３）。操作者が割付設定４５ａを指定すると（ステップＳ１３）、図５（ａ）に示す文字割付設定画面４３ａ（キー選択画面）を表示する（ステップＳ１４）。
【００４７】
そして、現在時点で文字割付テーブル３８に設定されている各数字キー８に対する文字の設定状況４７を読出して、文字割付設定画面４３ａ（キー選択画面）に表示出力する（ステップＳ１５）。数字キー８が操作者にて選択操作されると（ステップＳ１６）、図５（ｃ）に示す文字割付設定画面４３ｂを表示する（ステップＳ１７）。この文字割付設定画面４３ｂには、選択された数字キー８の設定内容が設定領域４７ａに表示される。そして、入力枠４７ｂ内に新たに設定すべき文字を、通常文字入力モードで設定し、追加ボタン４７ｃを操作すると（ステップＳ１８）、この文字を設定領域４７ａに新規の文字として新規設定する（ステップＳ１９）。
【００４８】
また、削除ボタン４７ｄを操作すると（ステップＳ２０）、設定領域４７ａ内に既に設定済の該当文字を削除する（ステップＳ２１）。また、設定領域４７ａに設定済みの各文字の順序変更操作が指示されると（ステップＳ２２）、設定領域４７ａに設定済みの各文字の順序変更を実施する（ステップＳ２３）。
【００４９】
このように構成された携帯端末１においては、前述したように、一つの数字キー８の繰り返し操作に応じて数字、及びこの数字以外の各文字を順番に表示させているので、数字と数字以外の文字とが組込まれた文字列を簡単に操作入力でき、入力作業能率を向上できる。
【００５０】
さらに、この携帯端末１を用いて行うアプリケーション業務の内容に応じて、文字割付テーブル３８内において、各数字キー８に割付ける数字以外の文字に対する、設定、変更、削除ができるので、各アプリケーション業務のデータ入力作業効率をより一層向上できる。
【００５１】
さらに、「＊」キー９には前述した［Ｇｕｉｄｅ］（ガイド機能）指令（文字列）が割付けられているので、キーボード７の「＊」キー９を押すことによって、図９（ａ）に示すように、表示部５の表示画面５ａに割付案内１８を表示したり、図９（ｂ）に示すように、表示部５の表示画面５ａから割付案内１８を消去することかできる。したがって、この携帯端末１の操作に不慣れな操作者は、図９（ａ）に示すように、表示部５の表示画面５ａに割付案内１８を表示することによって、間違いなく操作ができる。また、この携帯端末１の操作に慣れた操作者は、図９（ｂ）に示すように、表示部５の表示画面５ａから、割付案内１８を消去して、データ入力領域１７を広く設定できる。
【００５２】
なお、本発明は上述した実施形態に限定されるものではない。例えば、各数字キー８に割り付ける文字の数をアプリケーション業務に応じて任意の値に設定することが可能である。したがって、このような携帯端末１は、例えば、ＮＣ制御機械の制御端末にも利用できる。
【００５３】
なお、本発明の応用として、各数字キー８に対して、特定の英字1文字だけでなく、入力コマンドや定型文などの文字列を割付けておくことで、入力操作の迅速性と正確性を高めることができる。この場合の表示画面５ａ上のキー表示ではコマンドの頭文字や定型文に対応する記号等を表示する。さらに、特定のキー入力により、頭文字だけでなく全文を表示させるモードに切替えるようにしてもよい。
【００５４】
例えば、本発明を応用した携帯端末として、図１０に示す文字割付テーブル３８ａが組込まれている。この文字割付テーブル３８ａにおいて、「＊」キー９には、「切換」命令が設定されている。すなわち、「＊」キー９を１回押すと、テンキー７全体が図１１（ａ）に示す各数字に一斉に変換される数字入力モードに移行する。「＊」キー９を２回押すと、テンキー７全体が図１１（ｂ）に示す各英字に一斉に変換される英字入力モードに移行する。さらに、「＊」キー９を３回押すと、テンキー７全体が図１１（ｃ）に示す各記号に一斉に変換される記号入力モードに移行する。
【図面の簡単な説明】
【００５５】
【図１】本発明の一実施形態に係わる携帯端末の外観図
【図２】同実施形態の携帯端末の概略構成を示すブロック構成図
【図３】同実施形態の携帯端末の主制御装置を取出して示すブロック構成図
【図４】同実施形態の携帯端末内に形成された文字割付テーブルの記憶内容を示す図
【図５】同実施形態の携帯端末の表示部の表示画面を示す図
【図６】同実施形態の携帯端末の動作を示す流れ図
【図７】同じく同実施形態の携帯端末の動作を示す流れ図
【図８】同実施形態の携帯端末のキーボードを用いた文字入力手順を示す図
【図９】同実施形態の携帯端末の表示部の表示画面を示す図
【図１０】本発明を応用した携帯端末内に形成された文字割付テーブルの記憶内容を示す図
【図１１】同本発明を応用した携帯端末における文字入力モードを示す図
【符号の説明】
【００５６】
１…携帯端末、２…キーボード、５…表示部、７…テンキー、８…数字キー、９…「＊」キー、１０…「＃」キー、１４…アプリケーションキー、１５…矢印キー、１６…決定キー、１７…データ入力領域、１８…割付案内、１９…メニューボタン、２０…入力ボタン、２２…主制御装置、２３…無線通信部、２４…キー入力制御部、２５…表示制御部、２６…音声入出力部、２９…記憶装置、３０…基本モード実行部、３１…データ入力業務、３２…アプリケーションモード実行部、３３…モード選択部、３４…通常入力モード処理部、３５…文字列入力処理部、３６…割付設定部、３７…割付案内表示部、３８，３８ａ…文字割付テーブル、４２…基本モードメモリ、４３…文字割付設定画面メモリ、４４…メニュー画面メモリ、４５ａ…割付設定、４５ｂ…通常入力、４６…選択ボタン、４７…設定状況、４８…終了ボタン
【図１】
2008299517.tif 000003
【図２】
2008299517.tif 000004
【図３】
2008299517.tif 000005
【図４】
2008299517.tif 000006
【図５】
2008299517.tif 000007
【図６】
2008299517.tif 000008
【図７】
2008299517.tif 000009
【図８】
2008299517.tif 000010
【図９】
2008299517.tif 000011
【図１０】
2008299517.tif 000012
【図１１】
2008299517.tif 000013